(57)【要約】【課題】外壁材を梁に簡単かつ確実に取り付ける取付け構造を提供する。【解決手段】外壁材（１１）を建物外部側から建物内方向へ向けて移動させながら、その水平部材（１９）のスリット（２２）へ梁（１）側の支持ボルト（７）を差し入れると、スリット（２２）を横断するフック（２５）が支持ボルト（７）に押されてスリット開放位置まで回転し、支持ボルト（７）がスリット（２２）の奥側まで挿入されると、フック（２５）がスリット横断位置に復帰して、梁（１）側の支持ボルト（７）と外壁材（１１）側の水平部材（１９）が係合する。これによって、外壁材（１１）をワンタッチで確実に梁（１）に取り付けることができる。【選択図】　図１
2004060343.tif 000002
【特許請求の範囲】
【請求項１】
梁側に吊り下げた棒状の垂直部材に、外壁材の裏面から突出した水平部材を係合させて、外壁材を梁に取り付けるようにした外壁材の取付け構造において、前記水平部材は、一端部が開放した垂直部材挿入用のスリットと、このスリットを横断するように塞ぐことで、スリット内に挿入された前記垂直部材の前記一端部からの抜けを防止する水平回転可能なフックと、このフックをスリット横断位置に保持するバネとを備え、前記フックは、前記外壁材を移動させながら前記スリットの一端部から前記垂直部材を差し入れたときに、その垂直部材に押されてフックをスリット開放位置まで回転させるためのカム部を有していることを特徴とする外壁材の取付け構造。
【請求項２】
前記スリットを、建物内外方向に沿って形成するとともに、その建物内方向側の一端部を開放してある請求項１記載の外壁材の取付け構造。
【請求項３】
前記フックを鉤状に形成して、その基端部を前記水平部材の取り付けた縦軸周りに回転自在に支持するとともに、先端部の略円弧状に形成した外周側の面を前記カム部とした１又は２記載の外壁材の取付け構造。
【請求項４】
前記垂直部材は、前記梁側に頭部を下向きにして吊り下げた支持ボルトからなり、その支持ボルトの頭部を前記水平部材の下面に当接させることで、前記スリットからの支持ボルトの上方への抜けを防止した請求項１乃至３のいずれかに記載の外壁材の取付け構造。
【発明の詳細な説明】
【０００１】
【発明の属する技術分野】
この発明は、例えばカーテンウォール構造建築物において、その外壁材を梁へ取り付けるための取付け構造に関する。
【０００２】
【従来の技術】
一般に、カーテンウォール構造の建築物では、地震や強風による水平力を構造躯体の揺れによって吸収し、水平力を支持しない外壁材については、構造躯体の揺れに伴って回転するいわゆるロッキング機能を持たせるようにしている。
【０００３】
図６は、上記のようなカーテンウォール構造建築物における外壁材の取付け構造を示している。図において、（５０）は、構造躯体を構成する梁であって、この梁（５０）の上部フランジ（５１）に、板状の支持プレート（５２）がボルト（５３）によって固定されている。
【０００４】
（５４）は、梁（５０）の外側に取り付けられる外壁材であり、この外壁材（５４）の裏面側における上下端部には、ファスナー（５５）（５６）がそれぞれ固定されている。そして、下側の外壁材（５４）における上側ファスナー（５５）のボルト孔（６０）に、支持ボルト（６１）が下側から挿入され、更にその先端が、梁（５０）側の支持プレート（５２）のボルト孔（６２）へ挿入されるとともに、雄ネジ部に螺合したナット（６３）で、下方に落下しないように支持している。更に、支持プレート（５２）よりも上方に突出する支持ボルト（６１）先端のピン部（６５）が、上方に設置された別の外壁材（５４）の下側ファスナー（５６）のピン挿入孔（６４）に挿入されている。
【０００５】
このような取付け状態において、上側ファスナー（５５）を支持している支持ボルト（６１）は、支持プレート（５２）のボルト孔（６２）内を摺動して上下に移動自在であり、また下側ファスナー（５６）が支持ボルト（６１）のピン部（６５）に沿って上下に移動自在であることから、梁（５０）の揺れに追従して外壁材（５４）（５４）がそれぞれ斜めに傾くようにして回転するようになっている。
【０００６】
【発明が解決しようとする課題】
しかしながら、従来の上記構造においては、外壁材（５４）の取付けに際して、外壁材（５４）を所定位置に保持した状態で、支持プレート（５２）や上側ファスナー（５５）のボルト孔（６０）（６２）へ支持ボルト（６１）を挿入したり、支持ボルト（６１）にナット（６３）を螺合するといった面倒な作業が必要であった。
【０００７】
また、このような作業は、建物外部側からは外壁材（５４）が邪魔になって困難を要するので、主として建物内部側から行うようにしている。このため、建物の新築時においては、内壁材等の内装部材を施工する前に、外壁材（５４）を取り付けるようにすれば特に問題はないが、建物完成後において、経時劣化や損傷、リフォーム等により、外壁材（５４）を交換するような場合には、既に内装部材が施工されている状態にあるので、新しい外壁材（５４）の取付け作業に際しては、内装部材を取り壊すといった大掛かりな工事が必要となっていた。
【０００８】
この発明は、上記の不具合を解消して、外壁材を梁に簡単かつ確実に取り付けることができ、建物完成後における外壁材の交換作業も簡単に済ますことができる外壁材の取付け構造の提供を目的とする。
【０００９】
【課題を解決するための手段】
上記の課題を解決するため、この発明は、梁側に吊り下げた棒状の垂直部材に、外壁材の裏面から突出した水平部材を係合させて、外壁材を梁に取り付けるようにした外壁材の取付け構造であって、前記水平部材は、一端部が開放した垂直部材挿入用のスリットと、このスリットを横断するように塞ぐことで、スリット内に挿入された前記垂直部材の前記一端部からの抜けを防止する水平回転可能なフックと、このフックをスリット横断位置に保持するバネとを備え、前記フックは、前記外壁材を移動させながら前記スリットの一端部から前記垂直部材を差し入れたときに、その垂直部材に押されてフックをスリット開放位置まで回転させるためのカム部を有していることを特徴とする。
【００１０】
具体的には、前記スリットを、建物内外方向に沿って形成するとともに、その建物内方向側の一端部を開放してある。また、前記フックを鉤状に形成して、その基端部を前記水平部材の取り付けた縦軸周りに回転自在に支持するとともに、先端部の略円弧状に形成した外周側の面を前記カム部としている。
【００１１】
さらに、前記垂直部材は、前記梁側に頭部を下向きにして吊り下げた支持ボルトからなり、その支持ボルトの頭部を前記水平部材の下面に当接させることで、前記スリットからの支持ボルトの上方への抜けを防止している。
【００１２】
【発明の実施の形態】
以下、この発明を図面に基づいて詳細に説明する。図１において、（１）は、カーテンウォール構造建築物の躯体構造を構成するＨ型鋼製の梁である。（２）は、板状の支持プレートであって、支持プレート（２）の一端部が、前記梁（１）の上部フランジ（３）上面に設置されて、ボルト（４）及びナット（５）によって固定されている。梁（１）よりも建物外方向側に突出する支持プレート（２）の他端部には、ボルト孔（６）が形成してある。
【００１３】
（７）は、この発明の垂直部材としての支持ボルトであって、この支持ボルト（７）は、図１及び図２に示すように、その先端に雄ネジを有しない棒状のピン部（８）が形成してあり、そのピン部（８）が上向きで頭部（９）が下向きになるようにして、支持プレート（２）のボルト孔（６）へ挿入されるとともに、雄ネジ部に螺合したナット（１０）で、下方に落下しないように支持プレート（２）に吊り下げ支持されている。
【００１４】
（１１）（１１）は、前記梁（１）よりも建物外方向側に取り付けられる外壁材であって、軽量コンクリート板その他のコンクリート板からなるものである。これらの外壁材（１１）（１１）の裏面には、図３に示すように、その上端部において、一対の略Ｌ字型の上側ファスナー（１２）（１２）が取り付けられ、下端部において、一対の略Ｌ字型の下側ファスナー（１３）（１３）が取り付けられている。
【００１５】
上側ファスナー（１２）は、図１及び図４に示すように、外壁材（１１）裏面に図示しないインサートナット及びボルト（１４）によって固定された垂直片（１８）と、その垂直片（１８）の上端部から建物内方向側へ突出するこの発明の水平部材としての水平片（１９）とからなる。
【００１６】
この水平片（１９）は、建物内方向へ大きく突出した基部（２０）と、建物内方向へ小さく突出したリブ部（２１）とが外壁材幅方向に連続してなる。そして、その基部（２０）には、建物内外方向に沿って支持ボルト挿入用のスリット（２２）が形成されており、このスリット（２２）の建物内方向側の一端部が開放されている。また、スリット（２２）は、その幅が支持ボルト（７）の直径よりも僅かに大きく、且つ、その他端部すなわち奥側の端部は、支持ボルト（７）の直径よりも僅かに大きい曲率半径で半円状となっており、これによって支持ボルト（７）をスリット（２２）の一端部から奥側の端部へスムーズに導いて、その奥側端部を支持ボルト（７）外周に沿うようにして被せることができるようになっている。
【００１７】
また、基部（２０）の上面側には、スリット（２２）を横断して塞ぐことで、スリット（２２）内に挿入された支持ボルト（７）の開放端部からの抜けを防止するフック（２５）と、このフック（２５）をスリット横断位置に保持するバネ（２６）が取り付けられている。
【００１８】
このフック（２５）は、例えば鉤状に形成されており、その基端部にはボルト挿通用孔（２７）が形成されている。そして、このボルト挿通用孔（２７）には、スリット（２２）と外壁材（１１）裏面との間において基部（２０）上面から突出した縦ボルト（３０）が挿入されて、そのボルト先端部にはナット（３１）が螺合され、これによってフック（２５）は、縦ボルト（３０）周りすなわち縦軸周りに回転自在に支持されている。
【００１９】
また、フック（２５）の先端部の略円弧状に形成した外周側の面は、スリット（２２）への支持ボルト（７）の挿入時に、その支持ボルト（７）によって押されてフック（２５）をスリット開放位置まで回転させるためのカム部（３２）とされている。このカム部（３２）とされた面は、その先端に向かうほどスリット（２２）の奥方向に後退するように傾斜しており、かつ、傾斜方向の中間部が外方に突出するように緩やかに湾曲している。
【００２０】
バネ（２６）は、例えば金属製の線材の中間部を螺旋状に巻き、その螺旋部から張り出した両端部を略Ｌ型に折曲したものであって、その螺旋部が前記の縦ボルト（３０）に外嵌されて、一方の端部が基部（２０）と外壁材（１１）との間の隙間に差し込まれて固定され、他方の端部がフック（２５）の外周面に係止されている。なお、バネ（２６）としては、このような構造のもの限らず、例えば板バネ等を用いるようにしても良い。
【００２１】
下側ファスナー（１３）は、図２に示すように、外壁材（１１）裏面に埋め込まれた横材（１５）にボルト（１６）及びナット（１７）によって固定された垂直片（３５）と、その垂直片（３５）の下端部から建物内方向側へ突出する水平片（３６）とからなる。そして、水平片（３６）には、ピン挿通孔（３７）が形成されている。
【００２２】
上記構成において、梁（１）への外壁材（１１）（１１）の取付けに際しては、まず下側の外壁材（１１）を建物外部側から建物内方向へ水平移動させて、その上側ファスナー（１２）における水平片（１９）のスリット（２２）の一端部から支持ボルト（７）をスリット（２２）内へ差し入れる。
【００２３】
支持ボルト（７）が外壁材（１１）側のフック（２５）に当接するまでは、図５（ａ）に示すように、フック（２５）は、バネ（２６）によってスリット（２２）を横断するスリット横断位置に保持されている。この状態から、外壁材（１１）をさらに建物内方向へ移動させて水平片（１９）を押し込むと、支持ボルト（７）によってフック（２５）のカム部（３２）が建物外方向へ押される。これによって、フック（２５）がバネ（２６）の付勢力に抗して縦軸（３０）周りに回転し、図５（ｂ）に示すように、最終的にはスリット（２２）を開放するスリット開放位置まで回転する。
【００２４】
そして、外壁材（１１）をさらに移動させて、支持ボルト（７）をスリット（２２）の他端部に完全に差し入れると、図５（ｃ）に示すように、フック（２５）がバネ（２６）の付勢力によってスリット横断位置に復帰し、これによってスリット（２２）が塞がれて、支持ボルト（７）のスリット（２２）の一端部からの抜けが防止される。しかも、支持ボルト（７）の頭部（９）は、水平片（１９）の下面に当接しており、スリット（２２）からの支持ボルト（７）の上方への抜けも防止される。これによって、上側ファスナー（１２）の水平片（１９）が支持ボルト（７）に係合した状態となる。
【００２５】
この係合状態において、支持ボルト（７）の外周に沿ってスリット（２２）の他端部が被さっており、またフック（２５）の先端部内周面（４０）は、少なくともスリット（２２）を横断する部分において、フック（２５）の回転中心Ｐを中心とする曲率半径Ｒ（図５（ａ）　参照）の湾曲状となっているので、これらスリット（２２）の他端部とフック（２５）の内周面（４０）とで支持ボルト（７）を包み込むように保持して、支持ボルト（７）に対する水平片（１９）のがたつきやぐらつきを防止することができ、またどのような力が加わっても、外れないようになっている。
【００２６】
このようにして下側の外壁材（１１）を取り付けた後に、図１に示すように、上側の外壁材（１１）を同様にして取り付けるが、このとき上側の外壁材（１１）における下側ファスナー（１３）のピン挿通孔（３７）へ、支持プレート（２）よりも上方に突出する支持ボルト（７）のピン部（８）が挿入される。
【００２７】
このような取付け状態において、下側外壁材（１１）を吊り下げる支持ボルト（７）は、支持プレート（２）のボルト孔（６）内を摺動して上下に移動可能であり、また上側外壁材（１１）の下端部は、支持ボルト（７）のピン部（８）に沿って上下に移動自在であることから、梁（１）の揺れに追従して外壁材（１１）（１１）がそれぞれ斜めに傾くようにして回転して、ロッキング動作を許容している。
【００２８】
なお、この発明は、上記実施形態に限定されるものではなく、この発明の範囲内で上記実施形態に多くの修正及び変更を加え得ることは勿論である。
【００２９】
【発明の効果】
以上のように、この発明によれば、外壁材を移動させて、その水平部材のスリットへ梁側の垂直部材を差し入れるだけで、フックが自動的に水平回転して垂直部材の抜けが防止され、水平部材と垂直部材が互いに係合して、外壁材を梁に対してワンタッチで簡単に取り付けることができる。従って、閉塞された部位に対して外壁材を一方向からのアプローチして取り付ける構造として有効である。
【００３０】
特に、水平部材のスリットを建物内外方向に沿って形成し、その建物内方向側の端部を開放すれば、外壁材を建物外部側から建物内方向へ向けて移動させるだけで、水平部材と垂直部材が互いに係合するようになり、既に内装部材が施工された状態にある建物完成後において、外壁材を交換する場合でも、内装部材を取り壊さずに新しい外壁材を建物外部側からワンタッチで取り付けることができ、外壁材の交換作業を簡単に済ますことができる。
【００３１】
また、単一のフックのみで係合できる簡単な構造であって、部品点数を削減してコストダウンを図ることができる。
【図面の簡単な説明】
【図１】この発明の一実施形態に係る外壁材の取付け構造を示す分解斜視図である。
【図２】同じくその縦断面図である。
【図３】外壁材の裏面を示す図である。
【図４】上側ファスナー部分の分解斜視図である。
【図５】スリットへの支持ボルト挿入時におけるフックの動作を示す図である。
【図６】従来の外壁材の取付け構造を示す縦断面図である。
【符号の説明】
（１）　梁
（７）　支持ボルト（垂直部材）
（９）　頭部
（１１）　外壁材
（１９）　水平片（水平部材）
（２２）　スリット
（２５）　フック
（２６）　バネ
（３０）　縦ボルト（縦軸）
（３２）　カム部
【図１】
2004060343.tif 000003
【図２】
2004060343.tif 000004
【図３】
2004060343.tif 000005
【図４】
2004060343.tif 000006
【図５】
2004060343.tif 000007
【図６】
2004060343.tif 000008